(57)【要約】【課題】投射型表示装置の合成プリズムユニットにおいて、液晶表示素子と合成プリズムとの固着部で液晶表示素子と合成プリズムのアライメント調整を行い、その調整代として確保する部品間の間隔を小さくすることで、部品間の間隔充填する固着材料を少なくし、高精度な調整及び固着を可能にする。【解決手段】液晶表示素子４を保持する保持枠３の合成プリズム１に対するあおり２軸（α、β）、フォーカス１軸（Ｚ軸）の調整代を保持枠３と中間部材２との間の第１の固着材料（接着剤）で吸収し、第１の固着材料によって一体となった液晶表示素子４と中間部材２とを合成プリズム１に対して面内３軸（Ｘ、Ｙ、θ）調整し、面内３軸の調整代を中間部材２と合成プリズム１との間の第２の固着材料（接着剤）で吸収する。【選択図】図２
2006250968.tif 000002
【特許請求の範囲】
【請求項１】
液晶表示素子または該液晶表示素子を保持する保持枠の合成プリズムに対するあおり２軸（α、β）、フォーカス１軸（Ｚ軸）の調整代を前記液晶表示素子または保持枠と中間部材との間の第１の固着材料で吸収し、前記液晶表示素子と前記中間部材とを一体で前記合成プリズムに対して面内３軸（Ｘ、Ｙ、θ）調整し、該面内３軸の調整代を前記中間部材と前記合成プリズムとの間の第２の固着材料で吸収することを特徴とする投射型表示装置。
【請求項２】
請求項１に記載の投射型表示装置において、前記液晶表示素子または保持枠と前記中間部材の固着部は、フォーカス軸（Ｚ軸）に平行な互いに対向した間隔を有する固定面で形成されていることを特徴とする投射型表示装置。
【請求項３】
請求項１に記載の投射型表示装置において、前記液晶表示素子または保持枠と前記中間部材の一方の固定面に形成された穴の中央に、他方の固定面に形成されたピン状突起が挿入され、前記穴と前記ピン状突起間に前記第１の固着材料を充填し固定していることを特徴とする投射型表示装置。
【請求項４】
請求項２または３に記載の投射型表示装置において、前記第１の固着材料の固定面間の間隔は、０.１〜０.３ｍｍであることを特徴とする投射型表示装置。
【請求項５】
請求項１に記載の投射型表示装置において、前記中間部材の前記合成プリズムに対する固着部は、前記合成プリズム面と平行な固定面で形成されていることを特徴とする投射型表示装置。
【請求項６】
請求項１乃至５のいずれかに記載の投射型表示装置において、前記第１の固着材料、前記第２の固着材料は、接着剤であることを特徴とする投射型表示装置。
【請求項７】
液晶表示素子または該液晶表示素子を保持する保持枠を合成プリズムに当接した中間部材に対してあおり２軸（α、β）、フォーカス１軸（Ｚ軸）調整する工程と、前記液晶表示素子と前記中間部材とを一体で前記合成プリズムに対して面内３軸（Ｘ、Ｙ、θ）調整する工程と、前記各調整工程後に、前記液晶表示素子または保持枠と前記中間部材を第１の固着材料によって固着し、前記中間部材と前記合成プリズムを第２の固着材料によって固着する工程とからなることを特徴とする投射型表示装置の液晶表示素子調整接着方法。
【請求項８】
請求項７に記載の投射型表示装置の液晶表示素子調整接着方法において、前記液晶表示素子または該液晶表示素子を保持する保持枠及び前記中間部材の一方に形成された穴及び他方に形成されたピン状突起からなる対の固着部形状を有し、前記穴に前記ピン状突起を挿入した状態で前記液晶表示素子または保持枠のあおり２軸（α、β）、フォーカス１軸（Ｚ軸）調整し、前記穴と前記ピン状突起間に接着剤を充填し固着することを特徴とする投射型表示装置の液晶表示素子調整接着方法。
【請求項９】
請求項８に記載の投射型表示装置の液晶表示素子調整接着方法において、前記２軸（α、β）、フォーカス１軸（Ｚ軸）調整する工程及び前記面内３軸（Ｘ、Ｙ、θ）調整する工程以前に前記接着剤が前記液晶表示素子または保持枠と前記中間部材間及び該中間部材と前記合成プリズム間に充填され、前記液晶表示素子の調整後、硬化させることを特徴とする投射型表示装置の液晶表示素子調整接着方法。
【請求項１０】
液晶表示素子または液晶表示素子を保持する保持枠を把持する第１の把持手段と、中間部材を把持する第２の把持手段と、前記第１の把持手段が取り付けられ前記液晶表示素子または保持枠を合成プリズムに対してあおり２軸（α、β）、フォーカス１軸（Ｚ軸）調整する第１の調整手段と、前記第２の把持手段が取り付けられ前記液晶表示素子または保持枠と前記中間部材を一体で前記合成プリズムに対して面内３軸（Ｘ、Ｙ、θ）調整する第２の調整手段を有することを特徴とする投射型表示装置の液晶表示素子調整接着装置。
【請求項１１】
請求項１乃至６のいずれかに記載の投射型表示装置において、前記保持枠は前記第１の把持手段と嵌合する位置決め形状を有し、前記中間部材は前記第２の把持手段と嵌合する位置決め形状を有することを特徴とする投射型表示装置。
【発明の詳細な説明】
【技術分野】
【０００１】
本発明は、投射型表示装置、投射型表示装置の液晶表示素子調整接着方法及び液晶表示素子調整接着装置に関し、さらに詳しくは、投射型表示装置の構成要素である液晶表示素子を合成プリズムに対してあおり２軸（α、β）、フォーカス１軸（Ｚ軸）調整し、また液晶表示素子を合成プリズムに対して面内３軸（Ｘ、Ｙ、θ）調整することが容易な投射型表示装置、投射型表示装置の液晶表示素子調整接着方法、及び該方法を実施する液晶表示素子調整接着装置に関する。
【背景技術】
【０００２】
本発明に関連した従来技術として、以下のような技術が知られている。
特許文献１に開示された「液晶プロジェクターにおける液晶表示素子の取付け構造および取付け方法」は、液晶表示素子を仮止め用のＵＶ仮固定部と本固定用のハンダ固定部を有する中間部材を介して合成手段に固定することで、液晶表示素子のアライメント調整後における経時変化の発生をなくし、高精度な固定を可能とするものである。
【０００３】
特許文献２に開示された「液晶表示装置の取付構造」は、液晶表示素子を合成手段に調整固定するために、第１の固定部材に設けられた穴と第２の固定部材に設けられた軸とによって構成された空間に第１の固着材料を充填し固化し、次に前記空間より狭い第１の固定部材と第２の固定部材の間隔に第２の固着材料を充填し固化することで、調整位置を保った高精度な固定を可能とするものである。
【０００４】
特許文献３に開示された「位置制御型接着接合方法及びその装置」は、本出願人の出願に係るもので、被着物と接着物の接合に寄与する複数の接着（硬化）箇所で発生する硬化収縮力を制御し、この収縮力により発生する接着物にかかる応力を互いに相殺して被着物に対する接着物の相対的な位置を保持して接着硬化を行うことで、接着時の初期位置ずれを低減した高精度接着を可能とするものである。
【０００５】
また、本出願人の出願に係る特許文献４に開示された発明は、第１の被着物と第２の被着物間のエネルギー硬化型接着剤が第１の被着物から第２の被着物に向かって層状に分離部材で分離し、その１層を未硬化の状態で保って硬化した後、残った未硬化層を硬化して第１の被着物と第２の被着物を接合することで、硬化時の収縮力を未硬化層で絶縁し、接合されるぎりぎりまで被着物に伝達させず硬化が可能なため、高精度な接合が可能になるというものである。
【０００６】
また、本出願人の出願に係る特許文献５に開示された発明は、被着物に設けられた複数の柱状突起に対して接着物に設けられた穴を挿入し、接着物の位置、姿勢（６軸）を調整し、柱状突起と穴の間の調整代に接着剤を充填して硬化し固定するという接着形態に対して、エネルギー線照射を制御して接着剤の硬化収縮力のバランスを調整し、接着物の位置、姿勢の調整を可能とする接合方法と接合装置を提供することで、接着時の位置ずれを低減した高精度接合を可能とするものである。
【０００７】
また、本出願人の出願に係る特許文献６に開示された発明は、塗布した接着剤に照射するエネルギー線の照射強度を接着剤面内で空間的に変調（勾配）した照射方法で接着剤を硬化させることにより、硬化プロセスの進度に空間的な勾配をもって硬化させることができるので、硬化する接着剤の隣接領域に流動性を確保し、硬化収縮による硬化後の内部残留応力を低減することができ、経時変化の少ない接着方法が提供できるというものである。
【特許文献１】特開２００１−１００１８５号公報
【特許文献２】特開２００３−１４９６２８号公報
【特許文献３】特開２００４−１１５５４５号公報
【特許文献４】特願２００３−３４４４２３
【特許文献５】特願２００４−３５７４４２
【特許文献６】特願２００４−１００８７１
【発明の開示】
【発明が解決しようとする課題】
【０００８】
液晶プロジェクタ等の投射型表示装置は、光源からの光をＲＧＢ３色の光に分離しそれぞれ異なった光路を経て３枚の液晶表示素子に導き、液晶表示素子を通して変調した３色の変調光を合成用プリズムで合成し、投射レンズを通して投影するようにした３板式投射型表示装置で、３枚の液晶表示素子を合成用プリズムに対してあおり２軸（α、β）、フォーカス１軸（Ｚ軸）、面内３軸（Ｘ、Ｙ、θ）、計６軸を位置調整し固定する必要がある。
【０００９】
従来、合成用プリズムに３枚の液晶表示素子の６軸調整機構を備えた調整枠を固定し、その調整枠に液晶表示素子をネジ止め等で固定し、調整機構を使って画素ずれ、フォーカス、あおり調整を行っていた。しかし、調整機構を備えた調整枠は複雑で部品コストがかかるため、液晶表示素子の調整装置、調整治具側に調整機構を設け、液晶表示素子を固定した保持枠と合成用プリズムに取り付けられた中間部材の間の調整代を液晶表示素子調整後、固着材料で充填固化するという方法が一般的になっている。固着材料としては、当初ハンダが多く用いられていたが、ハンダの充填固着を自動で行おうとすると大がかりな設備を必要とするため、容易に固定できる接着剤による固定方法が多く用いられている。特に接着剤の中でも大がかりな設備を必要とせず、短時間に接着が可能な紫外線硬化型接着剤が多く用いられている。
【００１０】
しかし、硬化の際、どのタイプの接着剤でも体積収縮（硬化収縮）による応力（硬化収縮力）が発生するという問題がよく知られている。一般に、アクリル系紫外線硬化性樹脂は５〜１０％、エポキシ系紫外線硬化性樹脂は２〜５％程度硬化収縮し、収縮量に比例して硬化収縮力が増加する。この硬化収縮力による影響は接着強度的には僅かな低下しかなくても、精密組立においては大きな問題であり、高精度な調整を行った後に硬化収縮の影響で、調整した位置にずれが生じてしまったり、硬化時に蓄積した応力がその後の温度変化や外力により解放し、経時的な部品の位置ずれを引き起こしたりする。
【００１１】
ところで、液晶プロジェクタの液晶表示素子は、高精細化と小型化が進んでおり、細かいものでは画素サイズが１０μｍを切るサイズになってきている。３枚の液晶表示素子の調整に求められる調整精度もこれに伴い高いものが要求されており、更に調整位置を保持した状態で高精度に接着し、その接着位置を経時的に維持できる接着方法が求められている。
【００１２】
前記特許文献１に開示された液晶プロジェクターにおける液晶表示素子の取付け構造は、合成手段に直接貼付される第１中間部材と液晶表示素子に固定される第２中間部材とで構成し、第１中間部材と第２中間部材のいずれか一方に仮止め用のＵＶ仮固定部が形成され、更にハンダで固定する本固定用のハンダ固着部を有することで、液晶表示素子の位置を正確にアライメントした状態をＵＶ接着剤で仮固定し、その後経時変化少ないハンダによる固着で本固定できるため、液晶表示素子サイズの小型化・高精細化に対応した高精度な調整と固着が可能になるというものである。
【００１３】
また、特許文献２に開示された液晶表示装置は、特許文献１に開示された液晶プロジェクターにおける液晶表示素子の取付け構造と同じく、液晶表示素子をＵＶ接着剤で仮固定し、更にハンダで本固定するという固着工程は同じであるが、第１の固定部材に設けられた穴と第２の固定部材に設けられた軸とによって構成された空間に第１の固着材料（ＵＶ接着剤）を充填し固化することで仮止めを行い、第１の固定部材と第２の固定部材の間に設けられた仮止め用空間より狭い間隔に第２の固着材料（ハンダ）を充填し本固定することで、より少ない固着材料で固着でき、液晶表示素子サイズの小型化・高精細化に対応したより高精度な調整と固着が可能になるというものである。
【００１４】
しかし、これらの方法では、合成手段（合成プリズム）に予め貼り付けられた第１中間部材（第１の固定部材）に対して液晶表示素子を取り付けた第２中間部材（第２の固定部材）の位置調整を行いその調整位置を保って固着を行うため、第１中間部材（第１の固定部材）と第２中間部材（第２の固定部材）の間に設ける間隔で液晶表示素子の調整軸６軸（あおり２軸（α、β）、フォーカス１軸（Ｚ軸）、面内３軸（Ｘ、Ｙ、θ））の全ての調整代を吸収しなければならない。また、複数ある固着箇所に調整後充填する固着材料の量のバランスが大きく変わらないようにするため、比較的大きな間隔を部材間に設けておかなければならない。そのため、固着材料の量が多くなり、その固着時の収縮により部材が動いてしまったり、残留応力がたまり、その後応力解放して経時変化を起こしたりする。また、仮固定用の第１の固着材料（接着剤）を塗布、硬化する工程と設備、本固定用の第２の固着材料（ハンダ）を加熱塗布し、冷却する工程と設備が必要となり、工程時間が長くなってしまう問題や２種類の固着材料を扱う設備が必要という問題もある。
【００１５】
また、従来技術として示した特許文献４に開示された発明は、第１の被着物から第２の被着物に向かって層状に分離部材で分離した接着層を構成し、その１層を未硬化の状態で保って硬化した後、残った未硬化層を硬化して第１の被着物と第２の被着物を接合することで、硬化時の収縮力を未硬化層で絶縁し、接合されるぎりぎりまで被着物に伝達させず硬化が可能なため、硬化収縮力による部品のずれを低減して高精度な接合が可能である。
【００１６】
また、特許文献３に開示された位置制御型接着接合方法及びその装置は、被着物と接着物の接合に寄与する複数の接着（硬化）箇所で発生する硬化収縮力を接着剤の硬化進行を制御することでコントロールし、この収縮力により発生する接着物にかかる応力を互いに相殺して被着物に対する接着物の相対的な位置を保持して接着硬化を行うことで、接着時の初期位置ずれを低減している。
【００１７】
また、特許文献５に開示された発明は、特許文献３に開示された発明の高精度接着方法を柱状突起と穴の間の調整代に接着剤を充填して硬化し固定するという接着形態に適用し、エネルギー線照射を制御して接着剤の硬化収縮力のバランスを調整し、接着物の計６軸の位置、姿勢を調整しながら接着することで接着時の位置ずれを低減した高精度接合を可能としている。しかし、接着時の接着剤の硬化収縮力による部品のずれを低減し、初期接着精度を上げることについては大きな効果があるが、硬化時の残留応力により発生する経時変化についてはあまり効果がない。また、接着剤を層状に塗布するために分離部材を挿入したり、エネルギー線の照射を制御する制御手段や複雑な制御を必要としたりするため、従来の工程を複雑にしてしまうという問題がある。
【００１８】
特許文献６に開示された発明は、塗布した接着剤に照射するエネルギー線の照射強度を接着剤面内で空間的に変調（勾配）した照射方法で接着剤を硬化させることにより、硬化プロセスの進度に空間的な勾配をもって硬化させることができるので、硬化する接着剤の隣接領域に流動性を確保し、硬化収縮による硬化後の内部残留応力を低減することができ、経時変化を低減可能である。しかし、この場合もエネルギー線を変調照射するための装置、制御が必要となり、従来の工程を複雑にしてしまうという問題がある。
【００１９】
本発明は、液晶表示素子または液晶表示素子を保持する保持枠の合成プリズムに対するあおり２軸（α、β）、フォーカス１軸（Ｚ軸）の調整代を液晶表示素子または保持枠と中間部材との間の第１の固着材料で吸収し、液晶表示素子と中間部材を一体で合成プリズムに対して面内３軸（Ｘ、Ｙ、θ）調整し、その調整代を中間部材と合成プリズム間の第２の固着材料で吸収するように構成することで、液晶表示素子の６軸調整に伴って液晶表示素子または保持枠と中間部材の固着箇所の部品間間隔、及び中間部材と合成プリズムの固着箇所の部品間間隔が変化しないようにすることを可能とするものである。
【００２０】
本発明は、調整代として確保する部品間の間隔を小さくすることで、充填する固着材料を少なくし、固着材料が硬化するときの硬化収縮、硬化後の残留応力解放による経時変化を低減し、従来の工程を変更することなく液晶表示素子の小型化・高精細化に対応した、高精度な調整及び固着を可能にすることを目的とする。
【課題を解決するための手段】
【００２１】
請求項１に係る発明は、液晶表示素子または該液晶表示素子を保持する保持枠の合成プリズムに対するあおり２軸（α、β）、フォーカス１軸（Ｚ軸）の調整代を前記液晶表示素子または保持枠と中間部材との間の第１の固着材料で吸収し、前記液晶表示素子と前記中間部材とを一体で前記合成プリズムに対して面内３軸（Ｘ、Ｙ、θ）調整し、該面内３軸の調整代を前記中間部材と前記合成プリズムとの間の第２の固着材料で吸収する投射型表示装置であることを特徴とする。
【００２２】
請求項２に係る発明は、請求項１に記載の投射型表示装置において、前記液晶表示素子または保持枠と前記中間部材の固着部は、フォーカス軸（Ｚ軸）に平行な互いに対向した間隔を有する固定面で形成されていることを特徴とする。
【００２３】
請求項３に係る発明は、請求項１に記載の投射型表示装置において、前記液晶表示素子または保持枠と前記中間部材の一方の固定面に形成された穴の中央に、他方の固定面に形成されたピン状突起が挿入され、前記穴と前記ピン状突起間に前記第１の固着材料を充填し固定していることを特徴とする。
【００２４】
請求項４に係る発明は、請求項２または３に記載の投射型表示装置において、前記第１の固着材料の固定面間の間隔は、０.１〜０.３ｍｍであることを特徴とする。
【００２５】
請求項５に係る発明は、請求項１に記載の投射型表示装置において、前記中間部材の前記合成プリズムに対する固着部は、前記合成プリズム面と平行な（面内３軸（Ｘ、Ｙ、θ軸）に沿った）固定面で形成されていることを特徴とする。
【００２６】
請求項６に係る発明は、請求項１乃至５のいずれかに記載の投射型表示装置において、前記第１の固着材料、前記第２の固着材料は、接着剤であることを特徴とする。
【００２７】
請求項７に係る発明は、液晶表示素子または該液晶表示素子を保持する保持枠を合成プリズムに当接した中間部材に対してあおり２軸（α、β）、フォーカス１軸（Ｚ軸）調整する工程と、前記液晶表示素子と前記中間部材とを一体で前記合成プリズムに対して面内３軸（Ｘ、Ｙ、θ）調整する工程と、前記各調整工程後に、前記液晶表示素子または保持枠と前記中間部材を第１の固着材料によって固着し、前記中間部材と前記合成プリズムを第２の固着材料によって固着する工程とからなる投射型表示装置の液晶表示素子調整接着方法であることを特徴とする。
【００２８】
請求項８に係る発明は、請求項７に記載の投射型表示装置の液晶表示素子調整接着方法において、前記液晶表示素子または該液晶表示素子を保持する保持枠及び前記中間部材の一方に形成された穴及び他方に形成されたピン状突起からなる対の固着部形状を有し、前記穴に前記ピン状突起を挿入した状態で前記液晶表示素子または保持枠のあおり２軸（α、β）、フォーカス１軸（Ｚ軸）調整し、前記穴と前記ピン状突起間に接着剤を充填し固着することを特徴とする。
【００２９】
請求項９に係る発明は、請求項８に記載の投射型表示装置の液晶表示素子調整接着方法において、前記２軸（α、β）、フォーカス１軸（Ｚ軸）調整する工程及び前記面内３軸（Ｘ、Ｙ、θ）調整する工程以前に前記接着剤が前記液晶表示素子または保持枠と前記中間部材間及び該中間部材と前記合成プリズム間に充填され、前記液晶表示素子の調整後、硬化させることを特徴とする。
【００３０】
請求項１０に係る発明は、液晶表示素子または液晶表示素子を保持する保持枠を把持する第１の把持手段と、中間部材を把持する第２の把持手段と、前記第１の把持手段が取り付けられ前記液晶表示素子または保持枠を合成プリズムに対してあおり２軸（α、β）、フォーカス１軸（Ｚ軸）調整する第１の調整手段と、前記第２の把持手段が取り付けられ前記液晶表示素子または保持枠と前記中間部材を一体で前記合成プリズムに対して面内３軸（Ｘ、Ｙ、θ）調整する第２の調整手段を有する投射型表示装置の液晶表示素子調整接着装置であることを特徴とする。
【００３１】
請求項１１に係る発明は、請求項１乃至６のいずれかに記載の投射型表示装置において、前記保持枠は前記第１の把持手段と嵌合する位置決め形状を有し、前記中間部材は前記第２の把持手段と嵌合する位置決め形状を有することを特徴とする。
【発明の効果】
【００３２】
請求項１に係る発明によれば、液晶表示素子または液晶表示素子を保持する保持枠の合成プリズムに対するあおり２軸（α、β）、フォーカス１軸（Ｚ軸）の調整代を液晶表示素子または保持枠と中間部材との間の第１の固着材料で吸収し、液晶表示素子と中間部材を一体で合成プリズムに対して面内３軸（Ｘ、Ｙ、θ）調整し、その調整代を中間部材と合成プリズム間の第２の固着材料で吸収することで、液晶表示素子または保持枠と中間部材との間隔、中間部材と合成プリズムとの間隔を小さくすることができ、固着材料の量を少なくすることができるため、固着材料の収縮による部品のずれ、残留応力の解放による経時変化を低減した高精度な接合が可能な投射型表示装置を提供することができる。
【００３３】
請求項２に係る発明によれば、液晶表示素子または保持枠と中間部材の固着部の形状がフォーカス軸（Ｚ軸）に平行な互いに向かい合う間隔を有する固定面で形成されていることで、あおり２軸（α、β）、フォーカス１軸（Ｚ軸）の調整を行ったときに部材間の間隔が大きく変化しないため、調整代として確保する間隔を小さくでき、充填する固着材料の量を少なくすることができるため、固着材料の収縮による部品のずれ、残留応力の解放による経時変化を低減した高精度な接合が可能な投射型表示装置を提供することができる。
【００３４】
請求項３に係る発明によれば、液晶表示素子または保持枠と中間部材の固着部の形状が穴の中央にピン状突起を挿入しその間を第１の固着材料で充填し固定していることで、ピン状突起の周りを固着材料が３６０度囲んだ状態で穴の開いた部材と固定され、固着材料の収縮、残留応力の解放により部材間に働く力がバランスし相殺されるため、固着材料の量を低減したことによる効果に加え、初期部品ずれ、経時変化をより低減した高精度な接合が可能な投射型表示装置を提供することができる。
【００３５】
請求項４に係る発明によれば、液晶表示素子または保持枠と中間部材の固定面間の間隔が０.１〜０.３ｍｍであることで、充填する第１の固着材料の量を少なくすることができるため、固着材料の収縮による部品のずれ、残留応力の解放による経時変化を低減した高精度な接合が可能な投射型表示装置を提供することができる。
【００３６】
請求項５に係る発明によれば、中間部材と合成プリズム間の固着部の形状がプリズム面と平行な（面内３軸（Ｘ、Ｙ、θ軸）に沿った）固定面で形成されていることで、面内調整による調整代を第２の固着材料の充填量を変えずに吸収でき、充填する固着材料の量を少なくすることができるため、固着材料の収縮による部品のずれ、残留応力の解放による経時変化を低減した高精度な接合が可能な投射型表示装置を提供することができる。
【００３７】
請求項６に係る発明によれば、液晶表示素子または保持枠と中間部材との間の固定、中間部材と合成プリズム間の固定に使用される第１、第２の固着材料が接着剤であることで、固着材料の塗布、硬化に大掛かりな設備を必要とせずに低コストで、固着材料の収縮による部品のずれ、残留応力の解放による経時変化を低減した高精度な投射型表示装置を提供することができる。
【００３８】
請求項７に係る発明によれば、液晶表示素子または液晶表示素子を保持する保持枠を合成プリズムに当接した中間部材に対してあおり２軸（α、β）、フォーカス１軸（Ｚ軸）調整する工程と、液晶表示素子と中間部材を一体で合成プリズムに対して面内３軸（Ｘ、Ｙ、θ）調整する工程と、調整後に、液晶表示素子または保持枠と中間部材、中間部材と合成プリズムを第１、第２の固着材料にて固定する工程を有することで、液晶表示素子または保持枠と中間部材との間隔、中間部材と合成プリズムとの間隔を小さくすることができ、固着材料の量を少なくすることができるため、固着材料の収縮による部品のずれ、残留応力の解放による経時変化を低減した高精度な投射型表示装置の液晶表示素子調整接着が可能となる。
【００３９】
請求項８に係る発明によれば、液晶表示素子または液晶表示素子を保持する保持枠及び中間部材にそれぞれ形成された穴とピン状突起から成る対の固着部形状を有し、穴とピン状突起を挿入した状態で液晶表示素子または保持枠のあおり２軸（α、β）、フォーカス１軸（Ｚ軸）調整し、穴とピン状突起の間を接着剤で充填し固定することで、ピン状突起の周りを固着材料が３６０度囲んだ状態で穴の開いた部材と固定され、固着材料の収縮、残留応力の解放により部材間に働く力がバランスし相殺されるため、固着材料の量を低減したことによる効果に加え、初期部品ずれ、経時変化をより低減した高精度な投射型表示装置の液晶表示素子調整接着が可能となる。
【００４０】
請求項９に係る発明によれば、第１、第２の固着材料が接着剤で調整前に各部材間に充填され、液晶表示素子の調整後硬化させることで、固着材料の量を少なくし、固着材料の収縮による部品のずれ、残留応力の解放による経時変化を低減でき、また固着材料塗布時の部品ずれの影響を無くすことができるため、より高精度な投射型表示装置の液晶表示素子調整接着が可能となる。
【００４１】
請求項１０に係る発明によれば、液晶表示素子または液晶表示素子を保持する保持枠を把持する第１の把持手段と、中間部材を把持する第２の把持手段と、第１の把持手段が取り付けられ液晶表示素子または保持枠を合成プリズムに対してあおり２軸（α、β）、フォーカス１軸（Ｚ軸）調整する第１の調整手段と、第２の把持手段が取り付けられ液晶表示素子または保持枠と中間部材を一体で合成プリズムに対して面内３軸（Ｘ、Ｙ、θ）調整する第２の調整手段を有することで、液晶表示素子または保持枠と中間部材との間隔、中間部材と合成プリズムとの間隔を小さくすることができ、第１、第２の固着材料の量を少なくすることができるため、固着材料の収縮による部品のずれ、残留応力の解放による経時変化を低減した高精度な接合が可能な投射型表示装置の液晶表示素子調整接着装置を提供することができる。
【００４２】
請求項１１に係る発明によれば、保持枠及び中間部材にそれぞれ第１、第２の把持手段と嵌合する位置決め形状を有することで、保持枠及び中間部材とそれぞれの把持手段の位置関係が再現よく決まるので、保持枠と中間部材の固着部部材間隔を最適な状態に保ったまま液晶表示素子の調整、固着材料での接合ができるため、固着材料の収縮による部品のずれ、残留応力の解放による経時変化を低減した高精度な接合が可能な投射型表示装置を提供することができる。
【発明を実施するための最良の形態】
【００４３】
本発明は、投射型表示装置の合成プリズムユニットにおいて、液晶表示素子と合成プリズムとの固着部で液晶表示素子の合成プリズムに対するあおり２軸（α、β）、フォーカス１軸（Ｚ軸）、及び液晶表示素子の合成プリズムに対する面内３軸（Ｘ、Ｙ、θ）調整
を行うようにし、部品間の間隔充填する固着材料を少なくし、固着材料が硬化するときの硬化収縮、硬化後の残留応力解放による経時変化を低減し、液晶表示素子の小型化・高精細化に対応した、高精度な調整及び固着を可能にすることを目的とするもので、そのため、液晶表示素子または該液晶表示素子を保持する保持枠の合成プリズムに対するあおり２軸（α、β）、フォーカス１軸（Ｚ軸）の調整代を前記液晶表示素子または保持枠と中間部材との間の第１の固着材料で吸収し、該第１の固着材料によって一体となった前記液晶表示素子と前記中間部材とを前記合成プリズムに対して面内３軸（Ｘ、Ｙ、θ）調整し、面内３軸の調整代を前記中間部材と前記合成プリズムとの間の第２の固着材料で吸収するようにしたものである。
【００４４】
以下、本発明の投射型表示装置、投射型表示装置の液晶表示素子調整接着方法及び液晶表示素子調整接着装置を図面に基づいて説明する。
図１は、本発明が対象とする投射型表示装置の光学系を示す平面図である。
本発明が対象とする投射型表示装置は、光源１０からの光をレンズアレイ１１、コリメータレンズ１２を介して平行光とした光を、ダイクロイックミラー１３，１５でＲＧＢ３色の光に分離し、ミラー１４，１７，１９、レンズ２０，２１，２２を介し、それぞれ異なった光路を経て３枚の液晶表示素子４ａ，４ｂ，４ｃに導き、液晶表示素子４ａ，４ｂ，４ｃを通して変調した３色の変調光を合成プリズム１で合成し、投射レンズ２３を通して投影することで、大画面の映像をスクリーン２４上に投影する表示装置で、３板式投射型表示装置と呼ばれている。
【実施例１】
【００４５】
図２は、実施例１の投射型表示装置で用いられる合成プリズムユニットを示す斜視図である。
実施例１の投射型表示装置において、合成プリズム１に３枚の液晶表示素子４ａ，４ｂ，４ｃを取り付けた合成プリズムユニットは、３枚の液晶表示素子４ａ，４ｂ，４ｃの画素を合わせるため、それぞれの面内３軸（Ｘ、Ｙ、θ）の調整と、合成プリズム１に対してあおり２軸（α、β）、フォーカス１軸（Ｚ軸）の調整を行い、計６軸×３枚の液晶表示素子４ａ，４ｂ，４ｃの位置調整がなされた状態で液晶表示素子４ａ，４ｂ，４ｃを固着して組み立てられる。
【００４６】
図３は、実施例１の投射型表示装置で用いられる合成プリズムユニットを分解して示す斜視図であり、図４は、図３において１色分の合成プリズムユニットを分解して示す斜視図である。なお、各色の液晶表示素子は同一の構成であるので、図４は各色の液晶表示素子を代表して示している。
３枚の液晶表示素子４ａ，４ｂ，４ｃは、それぞれＧ，Ｒ，Ｂ光に対応し３色の変調光を得るためのもので、液晶表示素子４（４ａ，４ｂ，４ｃ）は保持枠３（３ａ，３ｂ，３ｃ）、中間部材２（２ａ，２ｂ，２ｃ）を介して合成プリズム１に取り付けられている。
【００４７】
ネジ５によって液晶表示素子４が取り付けられた保持枠３は、中間部材２に固定されるが、保持枠３と中間部材２の固着部は、フォーカス軸（Ｚ軸）に平行な互いに対向し、間隔を有する固定面で形成されており、両固定面間の間隔は、０.１〜０.３ｍｍであり、この間隔には第１の固着材料として接着剤が充填される。
また、中間部材２の合成プリズム１に対する固着部は、合成プリズム面と平行な（面内３軸（Ｘ、Ｙ、θ軸）に沿った）固定面で形成されており、中間部材２と合成プリズム１間の固定に使用される第２の固着材料として接着剤が充填される。
なお、本実施例においては、液晶表示素子４と中間部材２間に保持枠３が介在する構成であるが、保持枠３は必須のものではなく、液晶表示素子４と中間部材２を直接固着する構成とすることもできる。
【００４８】
液晶表示素子４（４ａ，４ｂ，４ｃ）を合成プリズム１に取り付けるに際しては、液晶表示素子４の合成プリズム１に対するあおり２軸（α、β）を調整し、またフォーカス１軸（Ｚ軸）、及び合成プリズムに対する面内３軸（Ｘ、Ｙ、θ）調整して取り付けられる。そこで、本発明においては、液晶表示素子４または液晶表示素子を保持する保持枠３の合成プリズム１に対するあおり２軸（α、β）、フォーカス１軸（Ｚ軸）の調整代を液晶表示素子４または保持枠３と中間部材２との間の第１の固着材料で吸収し、液晶表示素子４と中間部材２を一体で合成プリズム１に対して面内３軸（Ｘ、Ｙ、θ）調整し、その調整代を中間部材２と合成プリズム１間の第２の固着材料で吸収する。
【００４９】
このように構成することで、フォーカス軸（Ｚ軸）に沿った調整の動きとＺ軸と垂直な面内の調整の動きを異なる固着箇所で吸収するため、液晶表示素子４（４ａ，４ｂ，４ｃ）の調整に伴って液晶表示素子または保持枠３（３ａ，３ｂ，３ｃ）と中間部材２（２ａ，２ｂ，２ｃ）との間隔、中間部材２と合成プリズム１との間隔がほとんど変化せずに調整代を吸収できるため、予め部品間の間隔を小さく設定することができ、そこに充填する接着剤等の固着材料の量を少なくすることができる。そのため、固着材料の収縮による部品の初期位置ずれ、残留応力の解放による経時変化を低減した高精度な接合が可能となる。
【００５０】
従来、液晶表示素子または保持枠と中間部材間の間隔は、６軸の調整代、部品の公差等を考慮して１ｍｍ程度の間隔が必要であった。これを実施例１のように保持枠３と中間部材２に形成した固定面間の間隔を０.１〜０.３ｍｍにすることで、部品公差を吸収すると伴に、初期部品ずれ、経時変化を１／３から１／５に低減することが可能となる。
【００５１】
また、第１、第２の固着材料としては、接着剤が好ましく、特に接着剤の中でも、硬化の開始、速度を制御し易く、硬化時間が短い紫外線硬化型樹脂が好ましい。また、第１、第２の固着材料が接着剤で、調整前に部材間に充填され、液晶表示素子の調整後硬化させることで、固着材料塗布時の部品ずれの影響を無くすことができるため、より高精度な投射型表示装置の液晶表示素子調整接着が可能になる。
【実施例２】
【００５２】
図５は、実施例２の投射型表示装置で用いられる合成プリズムユニットを分解して示す斜視図であり、図６は、図５において１色分の合成プリズムユニットを分解して示す斜視図である。
実施例２の投射型表示装置で用いられる合成プリズムユニットは、実施例１で用いられる合成プリズムユニットの保持枠３と中間部材の固着部の構成において相違する。すなわち、３枚の液晶表示素子４（４ａ，４ｂ，４ｃ）は実施例１と同様に保持枠３（３ａ，３ｂ，３ｃ）にネジ５で固定され、保持枠３（３ａ，３ｂ，３ｃ）と中間部材２（２ａ，２ｂ，２ｃ）間は固着材料で固着されるが、中間部材２（２ａ，２ｂ，２ｃ）と合成プリズム１との固着は、従来から液晶表示素子の固着に用いられている穴の中央にピン状突起を挿入し、穴とピン状突起の間を固着材料で充填し固着する固着部形状を利用する。実施例２の調整固着構成においても、ピン状突起の径に対して穴の寸法を極力小さく設定することができるため、固着材料の収縮による部品の初期位置ずれ、残留応力の解放による経時変化を低減した高精度な接合が可能となる。
【００５３】
また、ピン状突起の周りを固着材料が３６０度囲んだ状態で穴の開いた部材と固定されているため、固着材料の収縮、残留応力の解放により部材間に働く力がバランスし相殺され、固着材料の量を低減したことによる効果に加え、初期部品ずれ、経時変化をより低減した高精度な接合が可能となる。なお、実施例２では穴を保持枠３に設け、ピン状突起を中間部材２に設ける構成としたが、穴を中間部材２に設け、ピン状突起を保持枠３に設ける構成とすることもできる。
【実施例３】
【００５４】
次に、投射型表示装置の液晶表示素子調整接着方法、及び液晶表示素子調整接着装置について説明する。
図７は、従来の液晶表示素子の調整接着装置を用いて液晶表示素子を合成プリズムユニットに取り付け調整する際の様子を示す正断面図である。
従来一般に用いられている液晶表示素子の調整接着装置を用いて、液晶表示素子を投射型表示装置の合成プリズムに取り付け固定する調整工程では、図７に示すように、予めＲＧＢ各色の３つの中間部材２（２ａ，２ｂ，２ｃ）が合成プリズム１に接着剤６1，６2等で固定された状態の部品を合成プリズム把持手段５２に、ＲＧＢ各色の液晶表示素子４（４ａ，４ｂ，４ｃ）またはＲＧＢ各色の液晶表示素子に保持枠３（３ａ，３ｂ，３ｃ）を取り付けた部品を調整装置の第１の把持手段５０にセットする。この状態で、調整しようとしている３枚の液晶表示素子４にＲＧＢ各色の光５７をミラー５６を介して導き、液晶表示素子４を通したそれぞれの調整用画像が合成プリズム１で合成され、投射レンズ２３によりスクリーン２４に投射された調整用画像を検出手段５８で検出する。
【００５５】
ＲＧＢ各色の液晶表示素子４をフォーカス（Ｚ軸）方向に動かし、投射スクリーン中央部のフォーカス特性が最良となる位置に液晶表示素子４のＺ軸を調整する。フォーカス特性の最良な位置は、例えば液晶表示素子４をＺ軸方向に動かした時の画像のコントラストが最大になる位置で検出する。
次に、投射スクリーン４隅の画像のコントラスト差が少なくなるように、液晶表示素子４（４ａ，４ｂ，４ｃ）のあおり２軸（α、β）を調整する。
【００５６】
この後、液晶表示素子４（４ａ，４ｂ，４ｃ）の画素調整（コンバーゼンス調整）を行い、Ｇの液晶表示素子４ａの画素を基準として、Ｒ、Ｂの液晶表示素子４ｂ，４ｃの画素を面内３軸（Ｘ、Ｙ、θ）調整する。この状態で、ＲＧＢ各色に中間部材２と液晶表示素子４または保持枠３の間に充填された固着材料６1を硬化させて固定する。あおり２軸（α、β）、フォーカス１軸（Ｚ軸）の調整を行うと、液晶表示素子４または保持枠３は中間部材２に対してほぼＺ軸に沿った動きをするのに対して、面内３軸（Ｘ、Ｙ、θ）調整を行うとＺ軸に垂直な面に沿った動きをする。したがって、中間部材２と液晶表示素４子または保持枠３の間で６軸の調整代を吸収しようとすると、固着部の部品間の間隔を広く取っておく必要があり、充填する接着剤等の固着材料６1，６2の量が多くなり、その結果硬化収縮による部品の初期位置ずれ、固着材硬化後の部品位置の経時変化が大きくなる。検出調整用画像は検出手段５８で検出され、コンピュータからなる制御装置５９によって第１の調整手段５３を制御して、あおり２軸（α、β）、フォーカス１軸（Ｚ軸）を調整し、第２の調整手段５４を制御して、面内３軸（Ｘ、Ｙ、θ）調整を行う。
【００５７】
図８は、本発明の液晶表示素子の調整接着装置を用いて液晶表示素子を合成プリズムに取り付け調整する際の様子を示す正断面図である。
実施例３の液晶表示素子の調整接着装置の調整部の構成としては、実施例１または２の投射型表示装置における液晶表示素子４（４ａ，４ｂ，４ｃ）または液晶表示素子を保持する保持枠３（３ａ，３ｂ，３ｃ）を把持する第１の把持手段５０と、中間部材２（２ａ，２ｂ，２ｃ）を把持する第２の把持手段５１と、第１の把持手段５０が取り付けられ液晶表示素子４または保持枠３を合成プリズム１に対してあおり２軸（α、β）、フォーカス１軸（Ｚ軸）調整するα軸自動ステージ５３ａ、β軸自動ステージ５３ｂ、Ｚ軸自動ステージ５３ｃで構成された第１の調整手段５３と、第２の把持手段５１が取り付けられ液晶表示素子４または保持枠３と中間部材２を一体で合成プリズム１に対して面内３軸（Ｘ、Ｙ、θ）調整するθ軸自動ステージ５４ａ、Ｘ軸自動ステージ５４ｂ、Ｙ軸自動ステージ５４ｃで構成された第２の調整手段５４を有することで、合成プリズム１のプリズム面に固着材料を挟んで押し当てられた中間部材２に対して液晶表示素子４または液晶表示素子を保持する保持枠３を第１の調整手段５３によりあおり２軸（α、β）、フォーカス１軸（Ｚ軸）の調整し、その状態を保持して、液晶表示素子の画素調整（コンバーゼンス調整）を第２の調整手段５４で行うことができる。また、第１の調整手段５３，第２の調整手段５４は一体となって、Ｚ軸粗動ステージ５５によって合成プリズム１に対しＺ軸方向に粗調整することができる。
【００５８】
第２の調整手段５４により、液晶表示素子４または保持枠３と中間部材２は一体で合成プリズム１のプリズム面に沿って面内３軸（Ｘ、Ｙ、θ）調整される。また、中間部材２と合成プリズム１間の固着部形状がプリズム面と平行な（面内３軸（Ｘ、Ｙ、θ軸）に沿った）固定面で形成されていることで、中間部材２と合成プリズム１を面接着で固着することができ、第２の固着材料６2の量を薄く、少なくできる。
【００５９】
また、プリズム面に沿った面内３軸（Ｘ、Ｙ、θ軸）の調整を行っても、中間部材２と合成プリズム１間に塗布された第２の固着材料６2の体積を変化させることなく、面内３軸の調整代を吸収することができる。また、液晶表示素子４または保持枠３と中間部材２の間であおり２軸（α、β）、フォーカス１軸（Ｚ軸）の調整代のみを吸収すればよく、６軸全ての調整代を吸収するのに比べ部材間に充填する第１、第２の固着材料の量を減らすことができる。
【００６０】
更に、液晶表示素子４または保持枠３と中間部材２の固着部の形状がフォーカス軸（Ｚ軸）に平行な互いに向かい合う間隔を持った固定面で形成されていることで、液晶表示素子４のあおり２軸（α、β）、フォーカス１軸（Ｚ軸）の調整を行ってもほとんど液晶表示素子４または保持枠３と中間部材２間の間隔が変化しないため、予め第１の固着材料６1の量をきわめて少なくなるように部材間の間隔を設定することができる。
【００６１】
また、投射型表示装置に用いられる合成プリズムにおいて、保持枠３及び中間部材２は、それぞれ液晶表示素子の調整接着装置の第１，及び第２の把持手段と嵌合する位置決め形状を有することで、保持枠及び中間部材と第１，第２の把持手段の位置関係が再現よく決まり、保持枠と中間部材の位置関係が部品の公差によって決まるので、固着部部材間隔を最適な状態に保ったまま液晶表示素子の調整、固着材料での接合ができる。そのため、固着材料の量を極めて少なく設定することができ、固着材料の収縮による部品のずれ、残留応力の解放による経時変化を低減した高精度な接合が可能な投射型表示装置を提供することができる。
【図面の簡単な説明】
【００６２】
【図１】本発明が対象とする投射型表示装置の光学系を示す平面図である。
【図２】図２は、実施例１の投射型表示装置で用いられる合成プリズムユニットを示す斜視図である。
【図３】実施例１の投射型表示装置で用いられる合成プリズムユニットを分解して示す斜視図である。
【図４】図３において１色分の合成プリズムユニットを分解して示す斜視図である。
【図５】実施例２の投射型表示装置で用いられる合成プリズムユニットを分解して示す斜視図である。
【図６】図５において１色分の合成プリズムユニットを分解して示す斜視図である。
【図７】従来の液晶表示素子の調整装置を用いて液晶表示素子を合成プリズムに取り付け調整する際の様子を示す正断面図である。
【図８】本発明の液晶表示素子の調整接着装置を用いて液晶表示素子を合成プリズムに取り付け調整する際の様子を示す正断面図である。
【符号の説明】
【００６３】
１…合成プリズム、２（２ａ，２ｂ，２ｃ）…中間部材、３（３ａ，３ｂ，３ｃ）…保持枠、４（４ａ，４ｂ，４ｃ）…液晶表示素子、５…ネジ、６1…第１の固着材料、６2…第２の固着材料、７…合成プリズムホルダ、１０…光源、１１…レンズアレイ、１２…コリメータレンズ、１３，１５…ダイクロイックミラー、１４，１７，１９…ミラー、１６，１８，２０，２１，２２…レンズ、２３…投射レンズ、２４…スクリーン、５０…第１の把持手段、５１…第２の把持手段、５２…合成プリズム把持手段、５３…第１の調整手段、５３ａ…α軸自動ステージ、５３ｂ…β軸自動ステージ、５３ｃ…Ｚ軸自動ステージ、５４…第２の調整手段、５４ａ…θ軸自動ステージ、５４ｂ…Ｘ軸自動ステージ、５４ｃ…Ｙ軸自動ステージ、５５…Ｚ軸粗動ステージ、５８…検出手段、５９…制御装置。
【図１】
2006250968.tif 000003
【図２】
2006250968.tif 000004
【図３】
2006250968.tif 000005
【図４】
2006250968.tif 000006
【図５】
2006250968.tif 000007
【図６】
2006250968.tif 000008
【図７】
2006250968.tif 000009
【図８】
2006250968.tif 000010